(57)【要約】      （修正有）【課題】魚節類や乾燥畜肉類の高い嗜好性を活かし、しかも視覚、嗅覚、味覚の全てに訴えうるばかりでなく、舌触り等自然な食感に優れたペットフードを提供する。【解決手段】厚さが１００〜５００μｍのシート状魚畜肉素材２又はその破砕物を、その含有量がペットフード基材に基づき、３〜１０質量％であり、ペットフード表面に一部露出する形態で含有するペットフード１とする。特に、シート状魚畜肉素材２が鰹節などの魚節類である場合、その厚さが１００〜２５０μｍとすることが好ましい。【選択図】図１
2010158200.tif 000002
【特許請求の範囲】
【請求項１】
厚さが１００〜５００μｍの範囲であるシート状魚畜肉素材又はその破砕物を、その一部がペットフード表面に露出する形態で含有することを特徴とするペットフード。
【請求項２】
シート状魚畜肉素材又はその破砕物の含有量がペットフード基材に基づき３〜１０質量％である請求項１記載のペットフード。
【請求項３】
シート状魚畜肉素材が魚節類であり、その厚さが１００〜２５０μｍの範囲である請求項１又は２記載のペットフード。
【請求項４】
シート状魚畜肉素材が乾燥成型畜肉であり、その厚さが２００〜５００μｍの範囲である請求項１又は２記載のペットフード。
【請求項５】
厚さ１００〜５００μｍに調節したシート状魚畜肉素材又はその破砕物を、ペットフード基材に基づき３〜１０質量％配合し、押出機を使用して造粒成形することを特徴とするペットフードの製造方法。
【発明の詳細な説明】
【技術分野】
【０００１】
本発明は、シート状魚畜肉素材を、ペットフードの表面に一部露出する形態で含有するペットフードに関する。詳細には、シート状魚畜肉素材を特定の厚さに調整することで、ペットフードの表面に当該素材が部分的に露出しているペットフードに関する。
【背景技術】
【０００２】
従来、ペットフードの嗜好性を上げるため、あるいは栄養補給の点で、鰹節などの魚節類の粗粉砕物が用いられている。例えば、雑魚の煮干しを小粒状に砕いた第１の素材と、鰹節を小粒状に砕くか又は削り節を小薄片状に砕いた第２の素材とが混合された混合物からなる、他のペットフードにふりかけて与えるか、あるいは単独で与えるペットフード（例えば、特許文献１参照）や、少なくとも魚の削り節を含む副食材と、これとは別に包装されたドライタイプのペットフードからなる主食材とを、各々個別の包装体に収容したものを単一の包装容器に収納したペットフード（例えば、特許文献２参照）が提案されているが、これらのペットフードでは、給餌時に混ぜるという作業を要したり、また、別包装にしなければならず、製造コストも高くなるという問題があった。
【０００３】
また、固形状ペットフードと共に、乾燥魚介類小片、乾燥肉類小片および乾燥海藻類小片の少なくとも１種を固形状ペットフードの重量に基づいて０．５〜３０重量％の割合で含有する、粗粉のつぶつぶがなく、滑らかで良好な外観を有するペットフード（例えば、特許文献３参照）や、鰹節、乾燥肉、乾燥魚等から選ばれる素材を微粉末としたペット嗜好適合品と、バチルス属、ラクトバチルス属、ストレプトコッカス属、サッカロミセス属及びカンディダ属に属する土壌細菌、硝化菌及び硫黄細菌を含みこれらをカルシウム含有基材に吸着発酵させた複合微生物製剤とを含む、微粉末又は錠剤形態のペット用食品（例えば、特許文献４参照）が提案されているが、これらのペットフードでは、外見上、鰹節等が配合されているかは全く判らず、他の原料に埋もれてしまうため、鰹節等による嗜好性の改善の点で十分とはいえない。
【０００４】
一方、主として穀類や豆類、澱粉等の植物類、肉類、カルシウム類及び野菜類等の組成分からなるペットフードにおいて、前記、野菜類の水分含有量を３０％以下に乾燥して粒状としたものであると共に、その粒径は０．５〜８ｍｍのものを使用し、その配合量は全体の組成分の０．５〜４０重量％となし、これを前記他の組成分と共に配合し、温度を４０〜３００℃のもとで、かつ成型圧を１０〜１０００ｋｇ／ｃｍ２の条件下で射出成型機により所要の形状に成型することにより、成型物表面に野菜類がほぼ点在分散状に表出させたことを特徴とするペットフードの製造方法（例えば、特許文献５参照）が提案されているが、この方法では、粒径０．５〜８ｍｍの粒状野菜等を用いているので、野菜等がペットフード表面に突出状態で露出しておらず、自然な食感が得られないという問題があった。
【先行技術文献】
【特許文献】
【０００５】
【特許文献１】特開２００４−２８３１５８号公報
【特許文献２】特開２００２−２３８４６４号公報
【特許文献３】特開２００１−２５８４８２号公報
【特許文献４】特開２００６−２０５８１号公報
【特許文献５】特開平１１−５６２６２号公報
【発明の概要】
【発明が解決しようとする課題】
【０００６】
本発明の課題は、魚節類や乾燥畜肉類の高い嗜好性を活かし、しかも視覚、嗅覚、味覚の全てに訴えうるばかりでなく、舌触り等自然な食感に優れたペットフードを提供することにある。
【課題を解決するための手段】
【０００７】
上記課題を解決するため、本発明者は鋭意研究した結果、魚畜肉素材又はその破砕物を１００〜５００μｍという特定の厚さに調整して、他の原料と混合し、常法によりペットフードを製造することで、上記課題を解決しうることを見出し本発明を完成するに至った。
【０００８】
従って、本発明は、
（１）厚さが１００〜５００μｍの範囲であるシート状魚畜肉素材又はその破砕物を、ペットフード表面に一部露出する形態で含有することを特徴とするペットフード；
（２）シート状魚畜肉素材又はその破砕物の含有量がペットフード基材に基づき３〜１０質量％である前記（１）に記載のペットフード；
（３）シート状魚畜肉素材が魚節類であり、その厚さが１００〜２５０μｍの範囲である前記（１）又は（２）に記載のペットフード；
（４）シート状魚畜肉素材が乾燥成型畜肉であり、その厚さが２００〜５００μｍの範囲である前記（１）又は（２）に記載のペットフード；
（５）厚さ１００〜５００μｍに調節したシート状魚畜肉素材又はその破砕物を、ペットフード基材に基づき３〜１０質量％配合し、押出機を使用して造粒成形することを特徴とするペットフードの製造方法；
に関する。
【発明の効果】
【０００９】
本発明のペットフードは、シート状魚畜肉素材として魚節類や乾燥畜肉類をペットフードの表面に一部露出する形態で含有しているため、ペットによる嗜好性が高いばかりでなく、視覚、嗅覚、味覚の全てに訴えうるばかりでなく、舌触り等自然な食感に優れたペットフードとして高品質なものである。本発明のペットフードはまた、シート状魚畜肉素材が一部突出状態で露出していながら、製造過程、流通過程においてその表面から当該素材がこぼれ落ちにくいという利点も有する。
【図面の簡単な説明】
【００１０】
【図１】本発明に係るペットフードの斜視図である。１は、ペットフード本体、２は、シート状魚畜肉素材を示す。
【発明を実施するための形態】
【００１１】
本発明のペットフードとしては、厚さが１００〜５００μｍの範囲であるシート状魚畜肉素材又はその破砕物を、その一部がペットフード表面に露出する形態で含有するものであれば特に制限されないが、シート状魚畜肉素材又はその破砕物を、その一部が突出状態で露出する形態で含有する場合があり、また、本発明のペットフードが対象とするペット（動物）としては、ペット（愛玩動物）として飼育される哺乳動物であれば特に限定されないが、イヌやネコを好適に例示することができる。
【００１２】
本発明のペットフードは、ドライタイプ、セミモイストタイプ又はソフトドライタイプのいずれのタイプでもよく、そのうちでも、生産性、取り扱い性などの点から、ドライタイプであることが好ましい。
【００１３】
本発明のペットフードの形状、すなわちペットフード基材粒の形状は特に制限されず、従来のドライタイプ、セミモイストタイプ又はソフトドライタイプのペットフードと同様の形状にすることができる。この場合、常法に従って、ペットフード基材粒を成型することができ、例えば、ペレット状、粒状、スティック状、ドーナツ状、星型、ドッグボーン状、勾玉状、偏平丸状、球状、楕円形状、方形状などの任意形状の小片にすることができる。これらの小片のサイズは特に制限されず、給与するペットの種類や年齢に応じたものとすることができる。
【００１４】
本発明において、魚節類は、魚系節の独特の匂いがあれば特に限定されないが、例えば鰹、ソーダ鰹、サバ、イワシ、マグロ等の魚節類が挙げられる。色調の濃いこげ茶色又は赤茶色など比較的濃色を呈するものが好ましく、鰹節、ソーダ節やサバ節等の鯖科の魚類の魚節類が特に好ましい。また、乾燥成型畜肉はシート状に成型・加工されたものであれば特に限定されないが、鶏肉ささみ、牛肉、馬肉、豚肉、羊肉等の乾燥成型畜肉を挙げることができる。
【００１５】
本発明において、シート状魚畜肉素材は厚さが１００〜５００μｍの範囲に調整されていることが必要である。シート状魚畜肉素材が魚節類の場合には、その厚さは１００〜２５０μｍの範囲が好ましく、１３０〜１６０μｍの範囲がより好ましい。また、シート状魚畜肉素材が魚節類の場合には、その厚さは２００〜５００μｍの範囲が好ましく、２５０〜５００μｍの範囲がより好ましい。そして、このような厚さは、シート状魚畜肉素材の一部が突出状態で露出する形態とするような場合都合がよく、シート状魚畜肉素材の厚さを調整する方法としては、当該素材が魚節類の場合には削る際に厚さをこの範囲とするか、厚めに削った後に圧扁して調整してもよい。また、乾燥成型畜肉の場合には、乾燥又は半乾燥した畜肉塊を所望の厚さに削るか、又は生の畜肉塊若しくは冷凍状態の畜肉塊をスライスした後、圧扁し、乾燥することで調整することができる。
【００１６】
シート状魚畜肉素材の厚さが１００μｍ未満であると、ペットフードの表面に当該シート状魚畜肉素材の小片を確認することが困難となり、外観、嗜好性及び食感の点で十分とはいえなくなる。一方、厚さが５００μｍを超えるとペットフード中のその他の素材との付着力が低下し、ペットフード表面から製造途中でこぼれ落ちたりするため、外観、嗜好性及び食感の点で十分なものとはいえなくなる。またこぼれ落ちたものが製造工程に滞留することとなり、他製品への混入など製造上の問題も生じる。
【００１７】
シート状魚畜肉素材の配合量は、ペットフード原料の総質量に対して、３〜１０質量％、見た目のよさとコストの面から、５〜８質量％とすることが好ましい。また、シート状魚畜肉素材はあらかじめ１２０℃、１０分以上の乾熱、望ましくは１４０〜１６０℃１０〜１５分以上加熱することが好ましい。この加熱処理により当該素材自体の色調が濃くなると同時に、独特の香りを呈することとなるため、よりドライフード表面で確認しやすくなり、外観に優れるだけでなく、香りの点でペットフードの嗜好性をより高めることができる。
【００１８】
本発明のペットフードは、対象とするペットの種類などに応じて、従来のペットフードと同様の配合成分を適宜使用することができる。かかる配合成分としては特に限定されるものではく、例えば肉粉、魚粉、穀粉類（小麦粉、トウモロコシ粉、大豆粉、米粉、各種澱粉類）、糟糠類（大豆粕、米ぬか、ふすま、胚芽、麦芽など）、おから、小麦グルテン、油脂類、ビタミン類、ミネラル類、卵製品、ガム類などの増粘剤、ゲル化剤、食塩、調味料、香辛料などを使用することができる。
【００１９】
本発明のペットフードの製造方法は特に制限されず、従来から用いられているペットフードの製造方法を採用して製造することができ、例えば、押出機、射出成形機、圧縮成形機などを用いて製造することができる。そのうちでも、押出機を使用して造粒成形する製造方法が、生産性、作業性などの点から好ましい。また、得られたペットフードは、常温で油脂、例えば魚油、鯨油、鶏脂、牛脂等でコーティングしてもよい。当該油脂によるコーティングは、常法に従って行うことができるが、例えば滴下法、噴霧法等で行うことができ、ペットフード基材粒に対して通常は０．５〜５質量％、好ましくは１〜３質量％の量にてコーティングする。
【００２０】
さらに、油脂でコーティングしたペットフードを、ペットの嗜好性を向上させる素材、例えば魚肉粉砕物、魚肉加水分解物、レバー加水分解物、畜肉加水分解物又は酵母エキス等でコーティングしてもよい。当該素材のコーティング量は、ペットフード粒に対して０．２〜３質量％、好ましくは０．５〜２質量％の量である。また、コーティングは常法により行うことができ、例えば混合法、ダスティング等で行う。
【００２１】
上記のようにして製造された、シート状魚畜肉素材又はその破砕物を含有されたペットフードは、図１で示すように、シート状魚畜肉素材又はその破砕物１の一部がペットフード表面に露出する形態で含有されている。
【実施例】
【００２２】
《実施例１及び比較例１》  キャットフード
トウモロコシ粉４０質量部、小麦粉２０質量部、魚粉２０質量部、チキンミール１０質量部、大豆ミール５質量部、ビタミン・ミネラル類５質量部を混合し、さらに次いで表１に示す厚さ及び配合量の鰹節、水１０質量部を添加した後、エクストルーダー（ウェンガー社製「Ｘ-１８５」）を使用して、エクストルーダーへの原料混合物の供給量２０００ｋｇ／ｈ、エクストルーダーへの給水量１５０リットル／時、混練温度１２０℃〜１４０℃、バレル先端温度１００℃〜１２０℃、バレル先端圧力８〜１４バールの条件下に押出成形してストランド状に押し出した後、直径５ｍｍ×１５ｍｍ程度の円筒状にカットし、水分が８〜１０％程度になるよう１２０℃で２０分乾燥させキャットフードを製造した。
得られた各キャットフードを、外観及び粉粒状素材の付着状態について、表２に示す評価基準により評価した。その結果を表１に示す。
【００２３】
【表１】
2010158200.tif 000003
【００２４】
【表２】
2010158200.tif 000004
【００２５】
表１の結果から、シート状魚畜肉素材として、鰹節の厚みについては、１００〜２５０μｍの場合には５％程度添加することによって粒表面に鰹節が良く見えるものとなった。しかし、実験例３のように１％と量が少ない場合、また実験例７のように鰹節の厚みが７０μｍの場合には脱落は見られないものの粒表面に見える鰹節は少なかったり、見えないものであった。量については実験例５で鰹節の添加量を増やすことによって５％添加と同等かそれ以上に鰹節を粒表面に確認することができるが、同時にこぼれる鰹節が見られるようになるため、５〜８％程度の添加が望ましいと言える。
【００２６】
《嗜好性試験１》
実験例１〜８のキャットフードについて、下記のとおり嗜好性試験を行った。
具体的には、１〜１０才前後の日本猫１２頭を供試し、対照のキャットフードと各実験例のキャットフードを同時にケージ内に入れ、二者択一方式による給与試験を４日間連続にて実施した。評価は一日あたりの総摂取量に対する実験例のキャットフードの摂取量の割合を求め、より多く摂取したものの方が嗜好性の高いものと評価した。なお、総摂取量に対して、８０％以上を嗜好性：◎、６０％以上〜８０％未満を嗜好性：○、４０％〜６０％未満を嗜好性：△、４０未満を嗜好性：×と評価した。得られた結果を表３に示す。
【００２７】
【表３】
2010158200.tif 000005
【００２８】
表３の結果から、実験例２、４、５の鰹節が５％以上添加しており、厚みが１００〜１６０μｍのものが通常品と比較し最も嗜好性が優れる結果となった。添加量の少ない実験例３やこぼれの多かった実験例８では通常品よりも嗜好性は良い傾向にあるものの他の実験例よりも劣る結果となった。また、鰹節の厚みの薄い実験例１や７、若干厚みがありこぼれの見えた実験例６でも通常品に比較し嗜好性は良好であったが、実験例２などよりも若干劣る結果となった。
【００２９】
《実施例２及び比較例２》  ドックフード
トウモロコシ粉５０質量部、小麦粉２０質量部、肉粉１５質量部、大豆ミール１０質量部、ビタミン・ミネラル類５質量部を混合し、次いで表４に示す厚さ及び配合量の乾燥ささみの削出物を添加した後、エクストルーダー（ウェンガー社製「Ｘ-１８５」）を使用して、エクストルーダーへの原料混合物の供給量２０００ｋｇ／ｈ、エクストルーダーへの給水量１５０リットル／時、混練温度１２０℃〜１４０℃、バレル先端温度１００℃〜１２０℃、バレル先端圧力８〜１４バールの条件下に押出成形してストランド状に押し出した後、直径１５ｍｍ程度の薄い円盤状にカットし、水分が８〜１０％程度になるよう１２０℃で２０分乾燥させ、ドッグフードを得た。
得られた各ドックフードを、外観及び粉粒状素材の付着状態について、上記の表２に示す評価基準により評価した。その結果を表４に示す。
【００３０】
【表４】
2010158200.tif 000006
【００３１】
表４の結果から、ささみ削出物の厚みについては、２００〜５００μｍの場合には５％程度添加することによって粒表面にささみ削出物が良く見えるものとなった。しかし、実験例１０のように１％と量が少ない場合、また実験例１４のようにささみ削出物の厚みが８０μｍの場合には脱落は見られないものの粒表面に見えるささみ削出物が少なく見えないものであった。量については実験例１２でささみ削出物の添加量を増やすことによって５％添加と同等かそれ以上にささみ削出物を粒表面に確認することができたが、同時にこぼれるささみ削出物も見られるようになったため、５〜８％程度の添加が望ましいと言える。
【００３２】
《嗜好性試験２》
実験例９〜１５の各ドックフードについて、下記のとおり対照品との嗜好性試験を行った。
具体的には、１〜１０才前後体重１〜１０ｋｇの成犬１５頭を供試し、別々に計量した対照のドックフードと各実験例のドックフードを同時にケージ内に入れ、二者択一方式による給与試験を４日間連続にて実施した。評価は一日あたりの総摂取量に対する試験フードの摂取量の割合を求め、より多く摂取したものの方が嗜好性の高いものと評価した。得られた結果を下記の表５に示す。なお、総摂取量に対して、８０％以上を嗜好性：◎、６０％以上〜８０％未満を嗜好性：○、４０％〜６０％未満を嗜好性：△、４０未満を嗜好性：×と評価した。
【００３３】
【表５】
2010158200.tif 000007
【００３４】
表５の結果から、実験例１１、１２、１３のささみ削出物を５％以上添加し、厚みが３００〜５００μｍのものが通常品と比較し最も嗜好性が優れる結果となった。添加量の少ない実験例１０やこぼれの多かった実験例１５では通常品よりも嗜好性は良い傾向にあるものの他の実験例よりも劣る結果となった。また、ささみ削出物の厚みの薄い実験例９や１４でも通常品に比較し嗜好性は良好であったが、実験例１１などよりも若干劣る結果となった。
【図１】
2010158200.tif 000008